(57)【要約】  床面の廃棄物受容器とともに使用するストレーナ組立体であって、廃棄物受容器は、垂直壁と、ウェルを形成する床部とを有する。ウェル内には液状廃棄物が収集され、ウェル排出開口部に向かって移動された後、ドレン管内に移動される。垂直壁は、垂直壁から外側に向かって延びる外側フランジを有する。外側フランジの位置は、垂直壁によって形成された最上面の下の位置である。さらに垂直壁は、最上面の下に形成された内側の棚部を有する。床部は、ドレン開口部の周りに棚部を形成する形状とされている。このストレーナ組立体は、ウェル排水開口ストレーナ組立体と、バスケットストレーナとを備える。バスケットストレーナは、ウェルに嵌る大きさとされ、かつ、ウェル排出開口ストレーナ組立体の上に嵌まり、床部の棚部に載る大きさとされている。バスケットストレーナには開口部が設けられている。この開口部は、第２の所定の大きさの液状の水または物質が床部の受容器のウェルからバスケットストレーナを通ってウェル排出開口ストレーナ組立体へと移動できる大きさとされた開口部が設けられている。格子ストレーナは、内側の棚部に載る大きさとされている。【特許請求の範囲】
【請求項１】
捕捉された固形物／台所用品／調理用付属品から、捕捉された液状廃棄物を分離するための床面の廃棄物受容器とともに使用するストレーナ組立体であって、床面の廃棄物受容器が垂直壁と、ウェルを形成する床部とを有して構成され、ウェル内には液状廃棄物と固形物／台所用品／調理用付属品が収集されて、床部に位置するドレン開口部から下方に延びる排水管に向かって移動させることができ、
ａ．液状廃棄物を排水管に移動させ、固形物、台所用品および調理用付属品が排水管に入るのを阻止できるシンクドレン開口ストレーナ組立体と、
ｂ．バスケットストレーナとを備え、バスケットストレーナは、ウェル内に収まり、かつ、シンクドレン開口ストレーナ組立体に適合する大きさとされて、液状の水または物質がバスケットストレーナを通過してシンクドレン開口ストレーナ組立体に移動できるようにすることを特徴とするストレーナ組立体。
【請求項２】
請求項１に記載のストレーナ組立体であって、シンクドレン開口ストレーナ組立体が、弾力があり拡張可能な中空部材と、剛性支持部材と、ストレーナと、ねじとを備え、
ｉ．中空部材は、雌ねじを有する内側面を備えた通路を有し、ドレン開口部に通る大きさとされており、
ｉｉ．剛性支持部材は、雄ねじと、剛性支持部材を貫通する第１内側ねじ通路とを有し、弾力があり拡張可能な中空部材にねじ込まれる大きさかつ形状とされており、
ｉｉｉ．ストレーナは、第１内側ねじ通路と一線上に揃えられた第２内側ねじ通路を有し、
ｉｖ．ねじは、第１及び第２内側ねじ通路の両方に動作可能に入る大きさとされて、剛性支持部材をストレーナに固定することを特徴とするストレーナ組立体。
【請求項３】
請求項２に記載のストレーナ組立体であって、弾力があり拡張可能な中空部材の最上部における直径が、その最下部における直径よりも大きく、剛性支持部材の雄ねじの直径が、その下部よりも上部で大きいことを特徴とするストレーナ組立体。
【請求項４】
請求項２に記載のストレーナ組立体であって、バスケットストレーナが、ストレーナの上側外周領域に載る大きさとされていることを特徴とするストレーナ組立体。
【請求項５】
請求項２に記載のストレーナ組立体であって、バスケットストレーナがシンク壁の外周の床面の座部に載る大きさとされていることを特徴とするストレーナ組立体。
【請求項６】
請求項１に記載のストレーナ組立体であって、バスケットストレーナが、ドーム形中央部を有するように構成されており、ハンドルがドーム形中央部の頂上に取り付けられていることを特徴とするストレーナ組立体。
【請求項７】
請求項１に記載のストレーナ組立体であって、バスケットストレーナが外周フランジと、隆起した唇部と、隆起した唇部における一連の開口部とを備え、外周フランジは、バスケットストレーナを形成する垂直壁の最上部に取り付けられ、かつ、垂直壁の最上部に沿って延びており、隆起した唇部は、外周フランジに取り付けられかつ延びており、バスケットストレーナ内の液体が所定の深さに達したときに、隆起した唇部における一連の開口部によって液体がバスケットストレーナに入ったり出たりできるようになっていることを特徴とするストレーナ組立体。
【請求項８】
請求項１に記載のストレーナ組立体であって、バスケットストレーナ内に適合する大きさ及び形状とされたバスケットフィルタをさらに備えることを特徴とするストレーナ組立体。
【請求項９】
請求項７に記載のストレーナ組立体であって、バスケットストレーナ内に適合する大きさ及び形状とされたバスケットフィルタをさらに備え、バスケットフィルタが、ドーム形中央部に適合するように配置された開口部の付いた中央隆起部を備え、ハンドルが開口部を貫通することを特徴とするストレーナ組立体。
【請求項１０】
請求項９に記載のストレーナ組立体であって、バスケットフィルタをさらに備え、バスケットフィルタがバスケットストレーナ内に適合する大きさとされ、かつ、液状廃棄物内の微粒子を捕捉できる大きさのメッシュ壁を有して形成されていることを特徴とするストレーナ組立体。
【請求項１１】
請求項１０に記載のストレーナ組立体であって、微粒子が砂、コーヒー粉、牡蠣殻の破片、お米、割れたガラスの破片を含むことを特徴とするストレーナ組立体。
【請求項１２】
請求項１に記載のストレーナ組立体であって、バスケットストレーナが外周フランジを備え、一つ以上のハンドルが外周フランジに取り付けられていることを特徴とするストレーナ組立体。
【請求項１３】
捕捉された固形物、台所用品、調理用付属品から、捕捉された液状廃棄物を分離するための液状廃棄物受容器であって、
ａ．垂直壁と、ウェルを形成する床部とを備えるフレームを備え、フレームが、耐衝撃材料から構成される最上層と、より大きな構造強度を有して構成される底層とを有する、結合された二種の材料から構成されており、
ｂ．フレーム外側フランジを備え、フレーム外側フランジが、フレーム外側フランジの上部に取り付けられる肩部材を有することを特徴とする液状廃棄物受容器。
【請求項１４】
請求項１３に記載の液状廃棄物受容器であって、耐衝撃材料が、ゴム、プラスチックまたはそれらを組み合わせたものであり、底層がステンレス鋼、繊維ガラスまたはそれらを組み合わせたものから構成されることを特徴とする液状廃棄物受容器。
【請求項１５】
請求項１３に記載の液状廃棄物受容器であって、耐衝撃材料が２１２°Ｆにさらされたとき、耐衝撃材が歪まないことを特徴とする液状廃棄物受容器。
【請求項１６】
請求項１３に記載の液状廃棄物受容器であって、垂直壁の上部に取り付けられる外側フランジと、格子がウェルに載ってかつ跨る大きさとされた座部を形成する位置で、外側フランジの上部に取り付けられる肩部材と、ウェル内に含まれた液体を除去するための排出口と通路を有する床部とをさらに備えることを特徴とする液状廃棄物受容器。
【請求項１７】
共押出複合物を備える床コーティングであって、共押出複合物が次の特性、すなわち、引張強度が６１００ｐｓｉ以上を示し、引張係数が２８０，０００ｐｓｉ以上を示し、曲げ弾性率が２８０，００ｐｓｉ以上を示し、５％ひずみで曲げ応力が９，５００ｐｓｉ以上を示し、圧縮強度が７，５００ｐｓｉ以上を示し、せん断強度が５，８００ｐｓｉ以上を示し、支持強度が２９，０００ｐｓｉ以上を示し、荷重撓み温度が２１２°Ｆ以上を示し、熱膨張率が４４μｉｎ／ｉｎ／°Ｆであり、絶縁耐力＞３００Ｖ／ｍｉｌを示す特性を有することを特徴とする床コーティング。
【請求項１８】
請求項１６に記載の床コーティングであって、共押出された、非常に高い耐衝撃性ポリカーボネートABS及びアクリル組成物シートを備えることを特徴とする床コーティング。
【発明の詳細な説明】
【技術分野】
【０００１】
本発明は、概して液状廃棄物の受容器に関し、特に床ドレン、床シンク、床槽、床トレンチ溝及び、その他のストレーナやフィルタを有し、建物の排水システムの床ドレンに入れる液状廃棄物を制御するための同様の液状廃棄物の受容器に関する。
【背景技術】
【０００２】
業務用台所を使用する間、食事の準備中、料理中、清掃作業中に様々な液体や食品ごみや調理器具または食器が台所の床に行き着くのが普通である。一日の中でこれらのアイテムが、建物の排水システムの一部を形成する床ドレンに掃かれたり洗われたりすることが普通である。概して床シンクや床槽があり、これらの様々なアイテムが床ドレンに入る前に、受け止められるように配置されている。床槽は基本的には床シンクよりも大きい。床トレンチは床槽の一種である。また床には、ドレンに入れてもよいアイテムをろ過するストレーナ装置を含み、それらのアイテムのうち、床シンクのウェルに残るアイテムは、手動で別々に収集、廃棄または回収されることが普通である。そのようなストレーナ装置の一例として、床シンクの最上面に延びる格子が挙げられる。格子は、人間が誤って床シンクのウェルに足を踏み入れないようにするとともに、より大きなアイテムが床シンクに入るのを阻止するように構成されている。従来技術における発展をよそに、床シンクや床槽のストレーナ装置が詰まったり、望まれないゴミが建物の排水／下水システムに入ったりといった様々な問題が残っている。
【０００３】
発明の目的
したがって、本発明の目的は、床シンクや床槽などの液体排水受容器の詰まりをより良く防ぐ、改良されたストレーナ組立体を提供することである。
【０００４】
本発明の別の目的は、床シンクや床槽などの液体排水受容器に入ることのできる液体の流速を所望の流速とすることで、液体排水受容器のウェルの中での逆流を防ぐストレーナ組立体を提供することである。
【０００５】
本発明のさらに別の目的は、床カバー及び液体排出受容器の外縁からの滑らかで平らで均一な移行部をより簡単に作り出すように構成されたストレーナ組立体を提供することである。
【０００６】
本発明のさらに別の目的は、液体排出受容器によって、液体排出受容器の周囲の領域から固体粒子の有無にかかわらず液体を捕らえるようにするか、または液体排出受容器を使用する必要のある衛生器具や配管設備からの間接的な廃棄物を受容するためのストレーナ組立体を提供することである。
【０００７】
本発明のさらに別の目的は、華氏２１２°以上の温度が必要となる使用が可能となる材料から構成されるストレーナ組立体を提供することである。
【０００８】
本発明のさらに別の目的は、液状廃棄物の受容器とそのストレーナ組立体とが、必要な耐衝撃性と剛性の両方をもたらす材料から構成されるようにすることである。
【０００９】
本発明のさらに別の目的は、液状廃棄物の受容器を提供することであって、その受容器によって床面と床面の下の任意の基板との間の防水をよりよくすると同時に、受容器の上面の高さを床面に必要な高さと同じにすることである。
【００１０】
本発明のさらに別の目的は、液状廃棄物の受容器とそのストレーナ組立体とを、排水管の内径の差異を吸収するように構成され、それによって排水管に対するストレーナ組立体の取り付けを容易かつ迅速に行えるようにすることである。
【００１１】
本発明のさらに別の目的は、液状廃棄物の受容器のろ過の完全性を損なうことなく、液状廃棄物の受容器から任意のストレーナ組立体を簡単かつ迅速に取り外せるように構成された、液状廃棄物の受容器を提供することである。
【００１２】
本発明のさらに別の目的は、ストレーナ組立体が任意の液体または固体の廃棄物の粒子を保持し、それらをストレーナ組立体から容易に除去できるようにすることである。
【００１３】
本発明のさらに別の目的は、例えば砂、コーヒー粉、牡蠣の殻、米およびその他の類似の粒子などのより小さな粒子を確実に捕捉するとともに、ストレーナ組立体の開口部または排水システムのトラップのいずれかを詰まらせる可能性のある繊維質の食物および他のアイテムが排水管に入るのを確実に防ぐことのできる、ストレーナ組立体を提供することである。
【００１４】
本発明のさらに別の目的は、足を踏み入れない様々な領域に配置されるストレーナ組立体を提供することである。このストレーナ組立体は、例えばストーブ（stoves）やキャビネットなどの、ドレンに対する最初のフィルタとしても機能でき、通常は間接排水（indirect waste）を受けるように使用される。
【００１５】
本発明の他の利点及び目的は、後述する本発明の明細書から、当業者にとって特有であるかまたは明らかである。
【発明の概要】
【００１６】
本願発明のこれらの目的は、例えば本願で図示したり説明したりした液状廃棄物の受容器を使用することによって達成できる。この受容器は格子ストレーナを利用し、この格子ストレーナを液状廃棄物の受容器の開口面の上に置いて開口面上に延びるようにしたとき、格子ストレーナの上に立った人の重量を支えるように構成されている。この格子には、所定の大きさの一連の開口部が設けられており、液状廃棄物に含まれる大きなアイテムを捕捉するとともに、液状廃棄物及び小さいアイテムを、格子の開口部に通過させて直接的または間接的に液状廃棄物の受容器のウェルに移動させることができる。加えて、液状廃棄物の受容器は、ウェル排水開口ストレーナ組立体と、バスケットストレーナと、バスケットフィルタの結合体を備えるストレーナ組立体を組み込んでいる。ウェル排水開口ストレーナ組立体は剛性支持構造体を備え、この構造体を柔軟性のある密閉部材にねじ込むと、ウェル排水開口ストレーナ組立体を液状廃棄物の受容器の排出管に取り付けることができる。当該排出管は、液状廃棄物のウェルから建物の排水／下水システムの排水管へと延びている。剛性支持構造体は、垂直な軸方向中心の通路を有することが好ましい。この通路は、ドーム形ストレーナ内の同様の大きさの通路と一直線に配置され、剛性支持構造体の通路に入るねじが、ドーム形ストレーナ内に延びて、２つの部品を互いに動作可能に取り付けることができるようになっている。この実施例において、バスケットストレーナが取り外されたとき、ねじに容易にアクセスすることはできない。これにより、排出管からドーム形ストレーナ組立体を意図せず取り外してしまっても、望ましくないものが建物の排水／下水システムの排水管に流れてしまうのを防ぐことができる。この特徴を利用するため、最初に、ねじによって剛性支持部材をドーム形ストレーナに取り付け、その後、剛性支持部材を柔軟性のある密閉部材にねじ込む。
【００１７】
バスケットストレーナは、ウェル排出開口ストレーナ組立体の上、かつ、液状廃棄物の受容器の支持棚に置けるような大きさおよび形状とされている。バスケットストレーナは開口部を有し、開口部は格子ストレーナを通過したアイテムを捕捉するための第２の所定の大きさ及び形状を有するが、そのアイテムは排水管に入って欲しくないものであり、液状廃棄物の受容器から簡単かつ迅速に取り出したいものである。バスケットストレーナにはハンドルが設けられており、液状廃棄物の受容器からバスケットストレーナを素早く取り外せるようになっている。好ましい実施例として、バスケットストレーナにはフラップも設けられている。フラップは、バスケットストレーナの外周フランジに対して上方角度方向に延びており、利用者が液状廃棄物の受容器からバスケットストレーナを取り外すために、バスケットストレーナを掴むための追加的な手段を提供する。
【００１８】
好ましい実施例として、液状廃棄物の受容器は、バスケットストレーナにフィットする形状のバスケットフィルタを含むこともできる。バスケットフィルタが開口部を有し、バスケットストレーナのハンドルがその開口部を通して延び、バスケットフィルタとバスケットストレーナの両方を同時に迅速かつ簡単に取り出せるようにすることが好ましい。バスケットフィルタは、小さなメッシュタイプの壁を有する。この壁により、集まってドレンシステムのトラップを詰まらせる可能性のある微粒子、例えばコーヒー粉、砂粒、砂、牡蠣殻の破片、米粒および特定の繊維質の食物の粒子、繊維などがバスケットストレーナを通過するのを防ぐことができる。
【００１９】
上述したことは、以下の詳細な説明がよりよく理解されるように、本発明の特徴と技術的長所についてむしろ広く概説したものである。本発明の追加的な特徴及び長所については以下で説明し、本発明の請求の範囲の主題を形成する。当業者であれば理解できるはずであるが、開示された着想および具体的な実施例は、本発明と同じ目的を達成するための他の形態および方法を修正または設計するための基礎としてただちに利用可能である。同様に、当業者であれば理解できることであるが、そのような均等な形態及び方法は、添付の請求の範囲に示したような発明の主旨及び範囲から逸脱するものではない。発明の特徴と思われる新規な特徴は、その構成および操作の方法の両方に関して、さらなる目的と長所とともに、以下の本発明の好ましい実施例の図面および説明からよりよく理解されるであろう。
【図面の簡単な説明】
【００２０】
【図１】図１は、台所の床に落ちた廃水や他のごみを集めるのに使用する床槽の平面図である。
【図１Ａ】図１Ａは、図１のＡ―Ａ線に沿った断面図である。
【図１Ｂ】図１Ｂは、図１のＢ―Ｂ線に沿った断面図である。
【図２】図２は、新規なストレーナ組立体の好ましい一実施例を斜め前から見た分解組立図であり、図１に示した床槽の下かつ床槽のウェル内に配置されるバスケットストレーナと、ウェル排出開口ストレーナ組立体を含む。
【図３】図３は、新規な外周構造を有する槽ドレンのウェル内に配置された、図２に示したストレーナ組立体の断面図である。
【図４】図４は、ウェル排水開口ストレーナ組立体の好ましい一実施例を斜め前から見た分解斜視図であり、雌ねじを有する弾性部材と、雄ねじを有する剛性支持部材と、剛性支持部材の上に配置され、そこにねじなどの固定手段によって取り付けられるドーム形ストレーナとを備える。
【図５】図５は、新規なストレーナ組立体の断面図であり、柔軟な拡張可能な部材と、剛性支持部材と、ウェル排水開口ストレーナと、バスケットストレーナの位置を示す。
【図６】図６は、床シンクで使用するストレーナ組立体を斜め前から見た分解組立図であり、好ましい一実施例のバスケットストレーナのバスケットストレーナにぴったりと入るバスケットフィルタをさらに備える。
【図７】図７は、バスケットフィルタを斜め前から見た図である。
【図８】図８は、図７に示したバスケットストレーナの側面図である。
【図９】図９は、別の好ましい一実施例のバスケットストレーナを斜め前から見た図であり、バスケットストレーナは隆起した唇壁部を有し、バスケットストレーナの外周フランジ部から上方に延びる、連続するドレン開口部が設けられており、ハンドルが外周フランジ部から外向きに伸びている。
【図１０】図１０は、図９のバスケットストレーナの側面図である。
【図１１】図１１は、図９のバスケットストレーナの平面図である。
【図１２】図１２は、図１１のＡ−Ａ線に沿った断面図である。
【図１３】図１３は、床シンクに配置された図９のバスケットストレーナの部分断面図である。
【図１４】図１４は、床シンクに配置されたストレーナ組立体のバスケットストレーナとバスケットフィルタを斜め前から見た部分図である。
【図１５−１７】図１５‐１７は、新規な床槽などの廃棄物受容器の外周外側フランジ部の３つの断面図であり、滑らかで、平らで、均一な面を実現するために使用されるものであり、これらは、防水加工層、シンセット層、タイル層及びグラウトの使用を含む様々な方法を利用するとき、またはシンセット層、タイル層及びグラウトの使用を含む方法を利用するとき、または床コーティングの使用を含む方法を利用するときに、槽ドレンと、床カバーによって形成される。
【発明を実施するための形態】
【００２１】
では次に図１〜２を見ると、図示したような床槽などの液状廃棄物の受容器１は、フレーム２を有して構成され、フレーム２の外周は外側フランジ３を形成し、外側フランジ３は外側フランジ３の上方に延びる長方形の肩部材４を有する。肩部材２の外側側壁５には、外側フランジ３が肩部材２の最上面７の下方に延びる平面６を形成している。平面６によって、床部８（図１５〜１７参照）の導入が可能となる。床部８は、防水材料層や、シンセット（thinset）材料層、タイルその他の表面材料層で構成されていてもよく、肩部材４の最上面７と同じ高さであってもよい。したがって、床部８と、床部８の下の例えばコンクリートなどの任意の基板との間のより良い防水が得られる一方で、同時に、肩部材の最上面７を床部８と同じ高さにすることで、人が液状廃棄物の受容器１でつまずく可能性を最小限にすることができる。
【００２２】
肩部材の内側側壁９に対して、肩部材４は外側フランジ３の下方で延びて、棚部または座部１０を形成しており、その上に格子１１を配置して床槽１のウェル１２を覆うことができる。このウェル１２は、底部１７に向かって下方に傾斜する壁１３〜１６によって形成されている。底部１７には、下方に傾斜してシンク２３を形成する壁１９〜２２を有する収集開口部１８が設けられている。シンク２３には排出通路２４が設けられている。通路２４は動作可能に配置され、通路２４を通過する任意の水やその他の物質が、ビルの排水／下水システム（図示せず）の排出管２５に流れるようにできる。
【００２３】
図２〜３により良く示すように、格子１１には連続する開口部２６が設けられており、液体やその他の物質をウェル１２に入れられるようにする一方で、大きいまたは幅広い器具などのアイテムがウェル１２に入るのを防いでいる。格子１１を棚部または座部１０に置くと、格子１１の最上面２７は、肩部材の最上面７と同じ高さとなる。コンクリートの台所床の所望の位置に床槽１を取り付けるため、４本の脚アンカー２８がコンクリート床に埋め込まれる。この埋め込む位置は、肩部材４の内側面３０によって形成される肩部材の部分２９が４本の脚アンカー２８の上に載るようにすることによって、４本の脚アンカー２８が床槽１を支持できる位置である。それぞれの脚アンカー２８は、中空で、内部にねじが形成された柱２８Ａと、外部にねじが形成されたシャフト２８Ｃと、柱２８Ａの最上部の延出端に取り付けされるワッシャー２８Ｂとからなり、シャフト２８Ｃは柱２８Ａにねじ込まれてナット２８Ｄによって位置が固定される。このように配置することによって、床槽１の高さ調節をすることができ、外側フランジの平らな表面６の上にグラウトで固めるか、そうでなければ固定される床のタイル（図示せず）と同じ高さに配置する助けとなる。
【００２４】
図３は、床槽１の好ましい実施例を示し、結合された２種の材料フレーム２から構成され、この材料フレーム２は、床槽１とウェル１２を形成する。フレーム２は最上層３１を含む。最上層３１は、例えばゴム、プラスチック及びその他の類似の材料などの柔らかくて弾力のある耐衝撃材料を有する材料から構成される。この最上層３１は、例えば陶磁器類やガラスの調理用鍋や平鍋などの、フレーム２に落下するものの破損を防ぐ助けとなる。なぜならば、食品サービスの従業員が沸騰水を床槽１に直接注ぎこむことは珍しくなく、最上層３１の構造的安定性に対して歪曲したりダメージを与えたりすることなく、少なくとも２１２°Ｆの温度に耐えることのできる材料から最上層３１が構成されることも好ましく、同様にフレーム２の底層３２に対するその接着が失敗しないことも好ましい。底層３２は、例えばステンレス鋼、ファイバーグラス及びその他の類似の材料などの構造強度を与える材料から構成されることが好ましい。この底層３２は耐久性を提供し、例えば人が格子１１の上に立ったり、落下した鉄製のポットやフライパン及び類似の調理器具が底層３２に当たったりして、フレームが物理的な力を受けたときに、フレームの形状を保持する助けとなる。
【００２５】
図２〜５は、本願発明の新規なストレーナ組立体３３の好ましい一実施例を説明する。好ましい実施例において示したストレーナ組立体３３は、シンク排出開口ストレーナ組立体３４（図４参照）と、バスケットストレーナ３５とを備える。シンク排出開口ストレーナ組立体３４は、ウェル排出通路２４内に延びる建物の下水道／ドレンシステムの排出管２５に取り付けられる。バスケットストレーナ３５は、シンク排出開口ストレーナ組立体３４に被せるように構成されており、ウェル１２を形成する壁部１３〜１６の最上部に載っている。より好ましくは、ウェル排出開口ストレーナ組立体３４は、シンク通路２４の内側にぴったりフィットする大きさ及び形状の弾性部材または柔軟性のある部材３６を備える。部材３６は、通路２４の内径の差異に適応するのに十分な柔軟性を有するのが好ましい。部材３６には雌ねじ３８が設けられている。ウェル開口ストレーナ組立体３４はまた、剛性支持部材３８を備え、剛性支持部材３８には部材３６の雌ねじ３８に操作可能に取り付けできる雄ねじ３９が設けられている。好ましい一実施例として、部材３６のねじ３７は、部材３６の頂部４１よりも部材３６の底部４０において幅広になっている。他方で、剛性支持部材３８の雄ねじ３９は、剛性支持部材３８の底部４３よりも、剛性支持部材３８の頂部４２において幅広になっている。その結果、剛性支持部材３８が部材３６に挿入されたとき、部材３６の底部４０が外向きに拡張されて、通路２４に対して部材３６をよりよくシールできる。剛性支持部材３８を部材３６から取り外すときに、通路２４から容易に取り外すことができるように、部材３６は元の形状に戻るのに十分に弾性的であることが好ましい。別の好ましい実施例において、部材３６には外側の柔軟なリブが設けられている。このリブは曲げることができ、部材３６と通路２４の内壁との間に必要な摩擦力を提供することによって、通路２４の内径の差異に適応することができる。本実施例において、部材３６の内壁は、ねじ山のない滑らかなものとすることができ、剛性支持部材３８には、部材３６にセルフタップできるテーパ雄ねじを設けることができる。ウェル開口ストレーナ組立体３４はまた、ドーム形ストレーナ４４を備える。ドーム形ストレーナ４４は剛性支持部材３８に載って、連結ねじ４５によって剛性支持部材３８に固定される。連結ねじ４５は、剛性支持部材３８のねじ付中央垂直整合ねじ通路４６及び４７と、ドーム形ストレーナ４４とをそれぞれ操作可能に貫通している。図３にみられるように、ドーム形ストレーナ４４は、その外側周囲４８もウェル床４９に載り、連結ねじ４５がドーム形ストレーナ４４に挿入されたときに、連結ねじ４５によってウェル床４９に対してしっかりと保持される大きさとされることが好ましい。
【００２６】
図４にみられるように、剛性支持部材３８の好ましい実施例として、壁部５５〜５８によって形成される４つの通路５１〜５４を有して構成される本体５０を有する。壁部５５〜５８は、本体の中央部５９から外向きに放射状に延び、本体の中央部５９にはねじ通路４６が貫通している。この実施例において、ドーム形ストレーナ４４には、本体の中央部６１の周りに配置された複数の通路６０が設けられており、中央部６１の内部にねじ込み口４７が延びている。ドーム形ストレーナ４４を通って流れる水やその他の物質を制御できるように、通路６０の大きさと形状は異なっていてもよい。好ましい実施例として、ドーム形ストレーナ４４の底部周辺領域６２に、一連の隔てられた背圧開放開口部６３が設けられてもよく、それによってドレンシステムに背圧がある場合に、余分な水がウェル１２に逆流できるようになる。
【００２７】
図２〜５及び図９〜１２にみられるように、バスケットストレーナ３５は、その外周フランジ６４がシンク壁１９〜２２の溝または着座領域６５に載る大きさとされている。着座領域６５は、ストレーナバスケット３５の配置（深さ方向と領域方向の両方）に関するガイドを提供するとともに、ストレーナバスケット３５が所望の位置からより確実に抜け出さないようにすることができる。その代わりに、ドーム形ストレーナ４４は、その上側周辺領域６７に位置する着座領域６６を有して構成することができる。これもまた、ストレーナバスケット３５を安定して配置するための安定した場所を提供する助けとなり、ストレーナバスケット３５をシンク排出通路２４の上方に保持して、ストレーナバスケット３５を通過する十分な水を確保することができる。またこれらの構成により、シンク排出開口ストレーナ組立体３４の本来のフィルタリング目的の完全性を損なわずに、ストレーナバスケット３５を簡単かつ素早く取り外すこともできる。４つのバスケットストレーナの溝付き垂直壁６８〜７１とコーナー壁７２〜７５とは、ウェル１２内に延びるように構成される。垂直壁６８〜７１の垂直壁溝７６は、バスケットストレーナ３５の床部７７から外周フランジ６４まで延びていることが好ましい。垂直壁溝７６の幅を利用して、バスケットストレーナ３５を通過してドーム形ストレーナ４４まで流れてもよい廃棄物またはごみの、大きさや種類を規制することができる。バスケットストレーナの床部７７には、ドーム形ストレーナ４４の上にフィットする大きさとされた、突起したドーム形中央部７８が設けられている。ハンドル７９は、ドーム形中央部７８の最上部に固定されて、バスケットストレーナ３５を持ち上げて取り外そうとする人が、バスケットストレーナ３５内のごみに手を入れないで済むように補助するものである。バスケットストレーナ３５内のごみは、例えば割れたガラス片などの鋭い物を含む可能性があり、ハンドル７９は、ドーム形ストレーナ４４によって捕捉された任意のごみを除去するために、当該人がシンク開口ストレーナ組立体３４にアクセスしなくて済むように補助するものである。バスケットストレーナの床部７７は、一連の開口部８０を有して構成され、バスケットストレーナ４４内の水がウェル１２に集められるようになっている。さらに、ドーム形中央部７８は、一連の円弧形状の開口部８１を有して構成されており、バスケットストレーナ３５内の水が流れて、ドーム形ストレーナ４４の廃水の通路６０を通過するようになっている。
【００２８】
図６は、床シンク８２内のストレーナ組立体３３の別の好ましい一実施例の使用について説明する。別の好ましい一実施例において、床シンク８２の肩部材８３は、一連の水抜き穴８４を有して構成され、タイル仕上げの床下に漏出した廃液が水抜き穴８４に流れた後、床シンク８２に流れるようになっている。このことは、いかなる廃液も土壌に浸透しないようにすることが望ましいグレードの建築で、床がコンクリートスラブではない、多層（multi-story）の用途または任意の状況における防水用途のために重要である。
【００２９】
さらに本実施例でも説明するように、ストレーナ組立体３３は、ウェル排出開口ストレーナ組立体３４やバスケットストレーナ３５だけでなく、図７〜８でより詳細に説明するようにバスケットフィルタ８５も備える。バスケットフィルタ８５は、垂直補強部材８８によって互いに取り付けられた別々の水平補強部材８７から形成される、垂直な外周フレーム８６を有して構成される。網目型材料８９は、水平補強部材８７及び垂直補強部材８８にそれぞれ固定されて、中程度サイズから微粒子サイズのごみ（例えば砂、コーヒーの粉、牡蠣殻、米および類似の粒子）がバスケットストレーナ３５から飛び出さないように設計された垂直バスケットフィルタ壁９０を形成する。フィルタ壁９０の網目サイズもまた、下水の排水管２５を詰まらせる可能性のある、繊維質の食物やその他の類似の繊維質材料がシンク排出通路２４に入らないようにするよう選択されるのが好ましい。この特徴は、建物のドレン／下水システムにおける、水では容易に流されない物質や、Ｐトラップの底に沈殿しがちな物質を防止するのに重要である。フィルタ壁９０は、垂直フィルタ壁９０が溝付き垂直壁６８〜７１と垂直コーナー壁７２〜７５とに隣接して配置された状態で、バスケットストレーナ３５内にフィットする大きさとされている。バスケットフィルタ８５の床部９１は、網目型材料８９を有する円形補強部材９２と、下側の水平補強部材８７とによって形成される。網目型材料８９は、円形補強部材９２と水平補強部材８７とに取り付けられている。バスケットフィルタ８５はさらに、円形補強部材９２から上方向に延びる、ドーム形の網目型材料９３を有して形成される。開口部９４は、ドーム形の網９３の最上領域９５に形成されて、ハンドル７９が開口部９４を通過して延びるのを許容する大きさとされており、ハンドル７９を掴んだ人がバスケットフィルタ８５とバスケットストレーナ４４とを持ち上げて、ウェル排出開口ストレーナ組立体３４にアクセスできるようにうまく手助けする。開口部９４の完全性は、補強部材９７を開口部９４の外周回りに固定することによって保持される。
【００３０】
図９〜１４は、バスケットストレーナ４４の別の好ましい実施例を説明しており、特に、足元領域でない（non-foot）通行エリアにおいて有用である。このエリアは、例えばコンロ（stove）やキャビネットの下などであり、間接排水を受けるのに通常使用されるドレン用の一次フィルタとしても機能し得る。本実施例において、バスケットストレーナ４４にはバスケットストレーナの外周フランジ６４の最上面９９から上方向に延びる、隆起した唇部９８が設けられており、排出通路２４から液体が跳ねるのをより良く防いだり、不要な外来ごみが意図せず排出通路２４に落下するのを防いだりすることができる。隆起した唇部９８は、一連のオーバーフロー／背圧開口部１００を有しており、ドレンのオーバーフローレベルと任意の間接的な廃棄物排水管との間の空隙を妨げることなく、塞がれた排水管路から床上に水が溢れるようにしている。開口部１００は、床部から来た水をバスケットストレーナ３５に入れて、かつ、最終的に排出管２５に入れられる大きさとすることができる。
【００３１】
好ましい別の一実施例として、バスケットストレーナの外周フランジ６４は、少なくとも一つのハンドル１０１を有し、より好ましくは少なくとも第２ハンドル１０２を有する。これらのハンドルは、外周フランジ６４の対抗する端部領域１０３及び１０４から上方向に延びている。これらのハンドル１０１，１０２は、床槽または床シンクが料理用コンロや他のタイプの台所器具の下に配置されているときに、特に有用である。この状況において、人が料理用コンロの下に手を伸ばしてハンドル１０１または１０２の一つを掴み、バスケットストレーナ３５をウェル排出開口ストレーナ組立体３４から持ち上げることができる。
【００３２】
図１５〜１７は、床槽１の新規な外周構造がどれくらい、平らな台所床と床槽の組み合わせたものを単純化するかを示す。いくつかの技術を共通して使用して、床の覆い１０５と床槽１とを、床槽の座部１０６に配置されるその格子５とつなげることができる。図１５に示した一つの方法は、まず、コンクリート１０８とタイル１０９などの表面材料との間に防水材１０７を適用することである。次に、シンセット材１１０を防水材１０７とタイル１０９の間に配置して、タイル１０９を所定の位置に保持する。タイル１０９とその他の外側フランジ１１２との間のどんな隙間１１１もグラウト１１３で埋めることができる。この方法では、タイル１０９と床槽１によって所望の水準の滑らかな接合とするために時間がかかり、しかも熟練工を必要とする。この方法は、新規な床槽の外周外側フランジ１１２とともに構成された床槽１で用いることでより、さらに容易に利用することができる。外側フランジ１１２は、格子１１が載る座部１０６を有して構成されている。座部１０６の後壁１１４は、格子１１の格子最上面１１５及び肩部材１１７の最上面１１６と実質的に同じ高さである。図１５に示した実施例において、外側フランジ１１２の延長端１１７は、肩部材の最上面１１６よりも低くなるように形成されており、その差は防水材１０７、シンセット１１０及びタイル１０９を取り付けたときに、肩部材の最上面１１６と格子の最上面１１５と同じ高さにするのに十分な量となっている。グラウト１１３を使用することで、タイル１０９と肩部材１１７の間の任意の隙間も塞ぐことができ、所望の滑らかで平らな表面を完成させることができる。
【００３３】
図１６は、防水材１０７を使用されていないことを除いて、同様の方法を示す。繰り返しになるが、図１５に示すように、座部１０６の後壁１１４は、格子の最上面１１５及び肩部材の最上面１１６と実質的に同じ高さである。この場合、延長端１１８は、肩部材の最上面１１６よりも低くなるように形成されており、その差はシンセット１１０とタイル１０９とを取り付けたときに、肩部材の最上面１１６と同じ高さにするのに十分な量となっている。
【００３４】
図１７は、新規な床コーティング１１９を使用した外側フランジ１１２の構造を示す。コーティング１１９は、高い衝撃強度、高い荷重撓み温度及び剛性を伴う優れた耐候性能と性能保持を有する複合物から形成される。好ましくは、コーティング１１９の引張強度が６１００ｐｓｉ以上を示し、引張係数が２８０，０００ｐｓｉ以上を示し、曲げ弾性率が２８０，００ｐｓｉ以上を示し、５％ひずみで曲げ応力が９，５００ｐｓｉ以上を示し、圧縮強度が７，５００ｐｓｉ以上を示し、せん断強度が５，８００ｐｓｉ以上を示し、支持強度が２９，０００ｐｓｉ以上を示し、荷重撓み温度が２１２°Ｆ以上を示し、熱膨張率が４４μｉｎ／ｉｎ／°Ｆであり、絶縁耐力＞３００Ｖ／ｍｉｌを示す。より好ましい実施例において、コーティング１１９は、共押出しされた、非常に高い耐衝撃性のポリカーボネートＡＢＳ及びアクリル組成物のシートである。この床コーティング１１９を使用することにより、産業界において実践されている防水、シンセッティング及びグラウティングの工程を無くすことができる。
【００３５】
本願発明及びその利益について詳細に説明したが、添付の特許請求の範囲によって規定される発明の主旨及び範囲を逸脱することなく、様々な変更、置換及び代替が可能であることは当然に理解できるはずである。さらに、本願の範囲は明細書等で説明したプロセス、機械、製造物、組成物、手段、方法およびステップの特定の実施例に限定されることを意図するものではない。当業者が本発明の開示から理解できるように、本願明細書に説明した実施例と、実質的に同じ機能を発揮し、または、実質的に同じ結果となる、現存するまたは今後開発されるプロセス、機械、製造物、組成物、手段、方法およびステップを、本願発明に従って利用してもよい。したがって、添付の特許請求の範囲は、例えばプロセス、機械、製造物、組成物、手段、方法またはステップなどをそれらの範囲内に含むことを意図する。
【図１】
2020527660.tif 000002
【図１Ａ】
2020527660.tif 000003
【図１Ｂ】
2020527660.tif 000004
【図２】
2020527660.tif 000005
【図３】
2020527660.tif 000006
【図４】
2020527660.tif 000007
【図５】
2020527660.tif 000008
【図６】
2020527660.tif 000009
【図７】
2020527660.tif 000010
【図８】
2020527660.tif 000011
【図９】
2020527660.tif 000012
【図１０】
2020527660.tif 000013
【図１１】
2020527660.tif 000014
【図１２】
2020527660.tif 000015
【図１３】
2020527660.tif 000016
【図１４】
2020527660.tif 000017
【図１５】
2020527660.tif 000018
【図１６】
2020527660.tif 000019
【図１７】
2020527660.tif 000020
【国際調査報告】
2020527660.tif 000021
2020527660.tif 000022
2020527660.tif 000023